(57)【要約】【課題】  偽券が入金された場合やセンサのバラツキ、温度湿度の環境に合わせて好適な紙幣鑑別が可能な装置を提供することを目的とする。【解決手段】  制御部１０９に閾値設定プログラムを備え、操作部１０２や表示画面１０１から鑑別の基準となる判定値の設定及び変更を行う。設定及び変更を行う際は、紙葉類取引装置の導入当初から現在に至るまでの取引時に記憶された判定値の頻度分布を表示画面１０１に表示する。そして、該頻度分布を参照しながら、操作部１０２より真偽判定閾値の上限値と下限値を直接入力し変更する。【選択図】図２
2005208955.tif 000002
【特許請求の範囲】
【請求項１】
紙幣又は有価証券等の所望領域を読み取り、読み取ったデータから金種、真偽を判定する鑑別手段を備えた紙葉類取引装置において、
前記鑑別手段によって金種、真偽の判定に用いられる基準となる種々の判定値を記憶する記憶手段と、
前記記憶手段に記憶する種々の判定値の中から所望の判定値を選択する選択手段と、
前記選択手段で選択された判定値を設定する設定手段とを有することを特徴とする紙葉類取引装置。
【請求項２】
前記選択手段は、複数の異なる金種を選択する金種選択画面を表示する操作手段を有することを特徴とする請求項１記載の紙葉類取引装置。
【請求項３】
前記選択手段は、金種用の判定値又は真偽用の判定値の何れかを選択する金種真偽選択画面を表示する操作手段を有し、
前記金種真偽選択画面にて選択された内容に応じて前記記憶手段に記憶された金種用の判定値又は真偽用の判定値の何れか一方を前記操作手段に表示することを特徴とする請求項１記載の紙葉類取引装置。
【請求項４】
前記操作手段は、センサの種類を選択するセンサ種選択画面又は演算方法を選択する演算種選択画面を表示することを特徴とする請求項２又は３記載の紙葉類取引装置。
【請求項５】
前記操作手段に表示する判定値として、異なる複数の判定値を表示すると共にそれぞれの判定値に対応する初期閾値と現在使用中の閾値とを表示し、設定又は変更する判定値番号を選択する画面を前記操作手段に表示することを特徴とする請求項３記載の紙葉類取引装置。
【請求項６】
前記設定手段は、前記操作手段に表示する判定値に対応する閾値の上限値又は下限値とを入力する画面を表示し、入力した数値を前記記憶手段に上書き記憶することを特徴とする請求項３記載の紙葉類取引装置。
【請求項７】
前記設定手段は、前記入力画面と共に所定枚数の紙幣における平均濃度値の頻度分布データを表示することを特徴とする請求項６記載の紙葉類取引装置。
【請求項８】
前記記憶手段は、初期の判定値と前記装置が取引中に使用する判定値とを記憶し、
前記初期の判定値に戻すリセット手段を有することを特徴とする請求項１記載の紙葉類取引装置。
【請求項９】
前記記憶手段は、初期の判定値と前記装置が取引中に使用する判定値とを記憶し、
前記初期の判定値を読取専用の第１記憶手段に記憶し、前記取引中に使用する判定値を読書可能な第２記憶手段に記憶し、
前記設定手段にて前記取引中に使用する判定値を設定又は変更することを特徴とする請求項１記載の紙葉類取引装置。
【請求項１０】
前記第１記憶手段は、金種を判定するための金種判定制御プログラムと、真偽を判定するための真偽判定制御プログラムとを記憶することを特徴とする請求項９記載の紙葉類取引装置。
【請求項１１】
前記第１記憶手段は、前記設定手段によって判定値を設定するための判定値設定プログラムを記憶することを特徴とする請求項９記載の紙葉類取引装置。
【請求項１２】
前記設定手段によって判定値を設定するとき、前記装置に接続する上位局より前記鑑別手段によって得られた所定枚数の紙幣の統計量を受信することを特徴とする請求項１記載の紙葉類取引装置。
【請求項１３】
前記設定手段によって設定された判定値を前記記憶手段に上書き記憶し、
前記鑑別手段は、上書き記憶された判定値によって金種、真偽を判定することを特徴とする請求項１記載の紙葉類取引装置。
【請求項１４】
前記装置に接続する上位局を有し、前記上位局からの指示に応じて前記設定手段による判定値の設定を実行することを特徴とする請求項１記載の紙葉類取引装置。
【請求項１５】
前記操作手段は、利用者によって指示する取引を表示する通常取引モードと、保守員によって操作される保守モードとを有し、
前記通常取引モードと前記保守モードとを切り替える切替手段を有することを特徴とする請求項１記載の紙葉類取引装置。
【請求項１６】
前記装置に接続する上位局を有し、
前記操作手段は、利用者によって指示する取引を表示する通常取引モードと、保守員によって操作される保守モードとを有し、
前記上位局からの指示によって前記通常取引モードと前記保守モードとを切り替えることを特徴とする請求項１記載の紙葉類取引装置。
【請求項１７】
紙幣を入出金する入出金口と、該入出金口より入金された紙幣を鑑別する鑑別部と、該鑑別部で鑑別された紙幣を収納する収納庫とを有する紙幣取扱装置において、
種々の操作内容を表示する表示画面と、該画面への入力を検知する操作部と、
前記鑑別部で取得する紙幣のイメージデータから種々の異なる算出値を算出し、該算出値を基に金種又は真偽を判定するための判定値を複数記憶する制御部とを有し、
前記制御部は、前記複数記憶された判定値の中から特定の判定値を選択されたことに応じて、選択された前記特定の判定値に対する上限値及び下限値を前記操作部に表示し、前記操作部より入力される上限値又は下限値を選択された前記特定の判定値として記憶し、入力された前記上限値又は下限値によって紙幣の金種又は真偽を判定することを特徴とする紙幣取扱装置。
【請求項１８】
前記制御部は、特定の判定値の選択前に金種用の判定値か、真偽用の判定値かを選択する金種真偽選択画面を前記操作部に表示することを特徴とする請求項１７記載の紙幣取扱装置。
【請求項１９】
前記制御部は、上限値及び下限値を前記操作部に表示すると共に同一画面上に所定期間における紙幣のイメージデータから算出された算出値の頻度分布を表示することを特徴とする請求項１７記載の紙幣取扱装置。
【発明の詳細な説明】
【技術分野】
【０００１】
本発明は、紙幣や有価証券等の印刷物（単に媒体とも言う）の印刷パターンを読み取り、読み取ったイメージデータから印刷物の真偽を判定する紙葉類取引装置に関する。
【背景技術】
【０００２】
通常の紙幣や有価証券等の印刷物の真偽判定手法を以下に説明する。なお、印刷物として特に紙幣を用いている。
【０００３】
紙幣を一定方向へ搬送させながら光源から光を照射して、単一または複数のセンサで走査し、該紙幣の印刷パターンのイメージデータを読み取る。そして、紙幣の所望領域内にあるイメージデータに所定の演算方法を施して、複数の統計量を算出する。この統計量（算出値）が予め設定されているパラメータ（判定値）としての例えば上限値と下限値の許容範囲の中に入っているか否かをチェックする。設定された許容範囲内に入っていれば本物、そうでなければ偽物と判定する。この上限値と下限値が判定値の閾値である。また、前記統計量（算出値）には、例えば、紙幣の所望領域内にあるイメージデータの平均濃度値や積分濃度値等がある。
【０００４】
しかし、光源のむらやセンサの感度バラツキ、温度湿度等の外乱影響によりイメージ濃度レベルにはバラツキが生じる。また、センサの経年劣化によるセンサ出力変動、使い古された紙幣の汚損によりイメージ濃度レベルには時間経過と共に変動が生じる。これらのバラツキと変動を考慮して、判定値の上限値と下限値を広く設定すると許容範囲の幅が拡大して、偽物を本物と誤認識してしまう問題があり、システム運用者にとって多大な損害を被る危険性があった。また、許容範囲を狭く設定すると、本物を偽物と誤認識してしまう問題があり、利用者への真券返却率が増加し利用者の利便性が悪くなるという問題があった。特に、紙葉類取引装置に偽券が入金されたことが判明した場合、紙幣の検出における所望領域数を増やすなどして真偽判定手法を再検討し、紙葉類取引装置が導入された当初、ＲＯＭに書き込まれた真偽判定制御プログラムの書き換え更新を行っていた。
【０００５】
また、許容範囲を狭くする技術として、特許文献１に開示する入金機の不正入金防止方法がある。この特許文献１の入金機は、紙幣の受付率が悪い利用者に対して、判定値の許容範囲を限定して、偽券の入金を防止するものである。
【０００６】
【特許文献１】特開２００１−３２５６３７号公報
【発明の開示】
【発明が解決しようとする課題】
【０００７】
特許文献１の技術によれば、リジェクト率の多い顧客を判断して、当該顧客による取引に対して入金機の識別能力を自動的に変更するものであり、その顧客に対してのみ有効なものである。一般的に正当な顧客であっても偽券であることを知らずに装置に入金するケースも多く、ある特定の顧客に対してではなく、装置自身としての識別能力を変更する必要がある。また、装置における紙幣の受付率が悪くなる要因は、上述のように、紙葉類取引装置のセンサの経年劣化等によるセンサ出力変動による場合や、紙幣の使用年数により極度に汚損した紙幣が投入された場合等が考えられる。そのため、紙幣の受付率が悪い利用者に対して、判定値の上限値と下限値の許容範囲を狭く設定しても、偽券の投入を防止する根本的な解決策とはなり得ない。そして、例えば、紙葉類取引装置のセンサの経年劣化等によるセンサ出力変動により受付率が悪くなった場合には、真券を偽券と誤認識しないように、暫定的に判定値の上限値と下限値の許容範囲をむしろ広く設定して、利用者への真券返却率を低減することが先決である。また、紙幣を鑑別するためのパラメータ、所謂、基準となる判定値には、金種用のものや、真偽用のもの、センサの種類や演算方法など、様々な種類があるものの、それらのものをどのように選択し、特定していくかの開示も無い。
【０００８】
本発明は、紙葉類取引装置で鑑別するための判定値（パラメータ）を簡易に選択、特定しながら、装置にとって好適に設定、変更できる装置を提供することを目的とする。
【０００９】
また判定値のその設定、変更に当たり、保守員等にとってイメージとして分かりやすいように値の入力を補助する装置を提供することを目的とする。
【００１０】
また、ＲＯＭに記憶されている鑑別用のプログラムは一切変更することなく、判定値のみの変更で、紙幣の鑑別に好適な装置を提供することを目的とする。
【００１１】
また、イメージセンサを使用した判定値としての上限値、下限値の設定、変更では、それぞれ独立に変更できる装置を提供することを目的とする。
【課題を解決するための手段】
【００１２】
本発明は上記目的の少なくとも一部を達成するために、紙葉類取引装置の導入後、上限値と下限値の許容範囲の幅を変更する手段と、上限値と下限値の許容範囲の幅を変更する際、紙葉類取引装置の操作部から上限値と下限値を変更する手段と、上限値のみ或いは下限値のみ、或いは上限値と下限値の両方を変更する手段を備えたものとする。また、毎回の取引時に平均濃度値を記憶する手段と、現在までに記憶された該平均濃度値の頻度分布を作成する手段を備えたものとする。
【発明の効果】
【００１３】
本発明によれば、紙葉類取引装置に偽券が入金されたことが判明した場合、判定値の上限値と下限値の許容範囲の幅を狭く設定するなどして偽券の入金を防止することができる。また、真券返却率が増加した場合、判定値の上限値と下限値の許容範囲の幅を広く設定し、真券返却率を低減させることができる。このように、紙葉類取引装置の稼動を停止させることなく、安定した紙葉類取引装置の運用が可能となる。
【発明を実施するための最良の形態】
【００１４】
以下、本発明の実施例を、図面を参照して詳細に説明する。以下の説明においては、紙葉類として紙幣を用いている。最初に、本発明に係るハードウェアの構成について説明する。
【００１５】
図１は、本発明に係る紙葉類取引装置（紙幣取引装置、紙幣取扱装置とも言う）１００の構成図であり、主に現金自動取引装置（ＡＴＭ）に実装される装置である。図２は、図１の制御部１０９のうち、特に、鑑別部にかかわる制御を示す制御ブロック図の詳細図である。操作部１０２は表示画面１０１を含み、入金や出金取引を選択する画面を表示し、その選択したキー押下などを検知する。液晶（ＬＣＤ）やＣＲＴなどの表示部と一体となったタッチパネルで構成するのが望ましい。もちろん、取引内容や取引結果も表示される。通常、本操作部１０２には利用者に対して種々のガイダンス、取引項目を表示するが、切替キー１１５を保守モードに切り替えることで、保守用のメッセージ、操作ガイダンスなどの各種の情報を表示する。後述する鑑別部の閾値の設定、変更も操作部１０２によって行われる。なお、この操作部を利用者に表示する用と、銀行員、保守員に表示する用とに分けて別のユニットで構成しても良い。その場合、切替キーを装置に実装せずに、この保守員専用の操作部を操作することで装置の保守のための種々の設定、変更ができる。
【００１６】
紙葉類取引装置１００は、操作部１０２において利用者からの取引指示により入出金口１０３から紙幣を入金または出金を行う。紙幣の入出金なども含めた全体の制御は、ＣＰＵ、メモリなどで構成される制御部１０９で行われる。利用者より操作部１０２から入金（預入）取引が選択された後、入出金口１０３に入金された紙幣は搬送ローラ１０６やベルトで構成される搬送路１０７により装置内部に搬送される。紙幣は鑑別部１０４を通過し、鑑別部１０４に具備されたセンサ１０５により紙幣のイメージデータ、磁気データなどがＲＡＭ２０１に送られ、記憶される。一方、紙幣は一時スタッカ１０８に取り込まれる。この状態で操作部１０２に鑑別部１０４での紙幣の計数結果が表示され、その確認が操作部１０２に備わる確認キー押下されると、一時スタッカ１０８の紙幣が鑑別部１０４で再度鑑別され、制御部１０９からの指示により、紙幣は鑑別された結果に対応する１１０〜１１３の各金種の収納庫に収められる。この入金時の紙幣状態によりいずれの金種にもあてはまらなかった場合の結果はリジェクトとし、入出金口１０３に戻すか、またはリジェクト収納庫１１４に収納する。一方、操作部１０２より出金（支払）取引が選択されると、出金額に応じた紙幣が収納庫１１０〜１１３より繰り出され、鑑別部１０４を介して入出金口１０３に出金される。
【００１７】
制御部１０９は、上述したように紙葉類取引装置１００全体を制御し、操作部１０２における利用者や保守員の操作に従って各部、各ユニットを動作させ、入出金口１０３から投入された紙幣の搬送機能や鑑別部１０４による鑑別機能など、各種の機能を制御する。また、制御部１０９は、図２の鑑別機能を中心としたブロック図にあるように、鑑別部１０４内のセンサ１０５が読み取った紙幣のイメージデータをＲＡＭ２０１に記憶する。そして、該イメージデータから紙幣の金種判定や真偽判定に使用される算出値（平均濃度値や積分濃度値等の統計量のこと）を算出し、予めＲＡＭ２０１に記憶されている判定値の閾値（金種判定用閾値、真偽判定用閾値）と比較して金種判定や真偽判定を行う。これらの算出、判定はＲＯＭ２０２の鑑別装置制御プログラム、真偽判定制御プログラム、金種判定制御プログラム等によって金種の種類は何か、真券なのか、偽券なのかなどの判定結果が得られる。特に、ＲＯＭ２０２に記憶されている閾値設定プログラム（広義では判定値設定プログラム）を制御して、後述の金種判定や真偽判定に使用される判定値の１つである閾値の設定や変更を行う。
【００１８】
鑑別部１０４は、入金又は出金取引において、搬送路１０７にて搬送される紙幣に対して、鑑別部内に備えられた光源から光を照射して、単一または複数のセンサ１０５で走査して、制御部１０９の制御に従い紙幣の印刷パターンのイメージ濃淡レベルを読み取る。そして、紙幣所望領域内のイメージデータに所定の演算方法を施して、複数の統計量を得て、上述の算出値を算出する。鑑別部１０４のセンサとして、光の反射光又は／及び透過光を検出する光センサや、可視光、紫外線を使用した光センサを使用するのが一般的である。他にも鑑別部のセンサには紙幣から所定の演算方法を用いて磁気情報を得る磁気センサなど種々のセンサが含まれる。もちろん、これら各種センサによって算出値も異なるし、基準となる判定値も異なる。
【００１９】
図２に示されるように、制御部１０９にはＣＰＵ２００の他にメモリを具備し、このメモリは読取専用のＲＯＭと読書可能なＲＡＭとに別れている。プログラム自身は書き換えないため、ＲＯＭ２０２は、鑑別に使用される閾値の設定、変更を行う閾値設定プログラム、鑑別部１０４の制御を行う鑑別装置制御プログラム、紙幣の真偽判定に用いられる真偽判定制御プログラム、紙幣の金種判定に用いられる金種判定制御プログラムが記憶される。他にこれらのプログラムで使用されるパラメータ（判定値）の初期値、初期閾値等も格納する。固定的データは、ホスト側にて識別（特定）できる鑑別部の識別番号や、金種判定制御プログラムや真偽判定制御プログラムの識別番号などを記憶する。例えば、偽券が入金された場合、紙幣の所望領域数を増やす、又は新しい統計量を検討した後、金種判定や真偽判定制御プログラムは書き換えられるため、どのＡＴＭにてどのプログラムが現在使用されているかを識別、管理するために、プログラムの識別（Ｒｅｖｉｓｉｏｎ）番号が記憶されている。一方、ＲＡＭ２０１は、プログラムで現在使用され、そして判定の基準となる判定値（パラメータ）、即ち、図の真偽判定用閾値、金種判定用閾値を記憶し、他に鑑別部１０４内のセンサ１０５で読み取った紙幣のイメージデータも記憶する。磁気センサなど他のセンサによる算出値も記憶する。以下の説明ではセンサに光センサで検知したイメージデータを用いて、そのパラメータとして概念的に理解し易い閾値の上限値と下限値を用いて説明する。
【００２０】
以上のＲＡＭ２０１に記憶される情報は、通信部２０３を介してホストコンピュータ２０５に記憶するのが望ましい。光センサのみを例にとっても、紙幣のイメージデータから算出された算出値（統計量）において、入金又は出金される紙幣全ての算出値のデータ容量も大きくなるためである。なお、紙幣のイメージデータは一枚分のみ記憶することができ、一枚目の紙幣の鑑別が終了したら、次に搬送されてきた紙幣のイメージデータが上書きされて記憶される態様が望ましい。
【００２１】
またＲＡＭ内の判定値については、防犯上、装置に記憶するよりもホストコンピュータに記憶し、装置の電源ＯＮ時、具体的には現金自動取引装置を開局するときに、ホストコンピュータに記憶している判定値を通信部２０３で受信してＲＡＭ２０１に記憶し、閉局のときＲＡＭ２０１からホストコンピュータ２０５に送信し、ＲＡＭ内の判定値を消去する態様が望ましい。装置が盗難にあってもＲＡＭ内には判定値（パラメータ）が記憶されていないためである。このように、通信部２０３は、モデムを具備し専用回線や電話回線等の通信回線２０４を介して、外部のホストコンピュータ２０５とのデータの送受信を行う。
【００２２】
ここで紙幣の金種、真偽の判定プログラムで使用されるパラメータに関して説明する。パラメータは鑑別部の種々の各センサから得られる算出値に対して、金種、真偽の判定で用いられる基準的な値であることから判定値とも言う。この判定値には、例えば、上限値と下限値という所定の範囲の閾値が設定され、その上限値と下限値の間に算出値があれば真券と判断し、上限値よりも算出値が大きい又は下限値よりも算出値が小さいときは偽券と判断する。また、閾値以外の判定値でも紙幣の金種、真偽を判定するが、偽券流通の誘発にもつながるため、これ以上の説明は省略するが、上述のとおりこの判定値には種々の値がある。本発明では判定値（パラメータ）として、上限、下限値が決められている閾値を用いる。図２でもその閾値のみを図示している。
【００２３】
この閾値には、紙葉類取引装置の導入当初、予めＲＯＭ２０２に記憶されている書き換え不可能な閾値（図２の初期閾値）と、ＲＡＭ２０１に記憶されている書き換え可能な閾値（図２の金種判定用閾値、真偽判定用閾値）がある。後者の閾値は、紙葉類取引装置の導入後、例えば、偽券の入金を防ぐために閾値の上限値と下限値の許容範囲を狭く設定する場合や、鑑別部１０４のセンサ１０５の経年劣化等によるセンサ出力変化が原因で、真券の返却率が高くなったために閾値の上限値と下限値の許容範囲を広く設定する場合に、逐次書き換えられていく閾値である。また、現金自動取引装置の開局時、つまり、実際の取引時に使用される閾値でもある。一方、前者の閾値は、紙葉類取引装置の導入後、幾度も書き換えられＲＡＭに記憶された閾値を、紙葉類取引装置の導入当初の閾値（初期閾値）にリセットする場合に使用される。閾値は紙幣の金種、真偽を決定付ける重要な要素であるので、保守員が操作部１０２に設けられたリセットキー押下でいつでも初期値に戻し、なぜ金種が判定できないかなどの原因の究明に役立つ。なお、紙葉類取引装置の導入当初は、ＲＯＭ２０２に記憶されている閾値（初期閾値）と同じ閾値がＲＡＭ２０１にも記憶されている。
【００２４】
また、閾値には、金種判定用の閾値と真偽判定用の閾値があり（図２のＲＡＭ２０１参照）、それぞれ複数の異なる閾値を有する。鑑別部１０４では最終的に紙幣の真偽まで判別するが、金種用で使用するセンサと真偽用で使用するセンサが異なる、それぞれ紙幣の特徴を見ている領域が異なる、アルゴリズムが異なるなどの要因により、金種と真偽との閾値を分けている。更に、金種判定や真偽判定においては、紙幣所望領域内にあるイメージデータに所定の演算方法を施して、複数の統計量を算出しており、この複数の統計量（算出値）を使って、紙幣の金種や真偽を最終的に判定する複数の閾値と比較、判定して金種、真偽を特定する。よって、ＲＯＭとＲＡＭにも金種判定用の複数個の閾値と真偽判定用の複数個の閾値が記憶されている。
【００２５】
したがって、閾値の設定、変更時には、まずどの金種に対して設定及び変更するかを選択し、次に、金種判定用の閾値か真偽判定用の閾値かを選択して、最後に、複数個ある判定値の中からどの判定値の閾値を設定及び変更するかを選択する選択手段を有している。
【００２６】
次に、本発明の紙葉類取引装置（紙幣取引装置、紙幣取扱装置）において、紙幣の真偽を判定する光センサによる閾値の設定、変更にかかる操作、処理、動作手順について、図３のフローチャートを基に図４〜図８を用いて説明する。もちろん、光センサ以外の閾値の設定、変更や閾値以外の判定値（パラメータ）にも応用できることは言うまでもない。なお、装置における処理、制御を行うのは図１，２に示す制御部１０９であり、閾値設定プログラムである。
【００２７】
保守員（紙葉類取引装置をメンテナンスする人）又は銀行の責任者等が鑑別部１０４で使用する閾値の設定、変更を行う場合は、紙葉類取引装置１００の裏側下の切替キー１１５を”通常取引モード”から”保守モード”に切り替えて行う（Ｓ３０１）。紙葉類取引装置１００は通信部２０３を具備しているため、外部のホストコンピュータ２０５やＬＡＮ等に接続されるサーバ構成では、これら外部からの遠隔操作により保守モードに切り替える、または後述の閾値の設定、変更を行うことも可能である。ここでは、一例として、操作部１０２より閾値の設定、変更を行う場合の例を示す。”通常取引モード”は、利用者が紙幣の入出金可能な状態であり、”保守モード”は、閾値の設定及び変更やセンサ検査を行う状態である。保守員が切替キー１１５にて“通常取引モード”から”保守モード”に切り替えることで、制御部１０９がそれを検知し、操作部１０２に保守用の画面、図４（ａ）を表示する。図４（ａ）は判定値選択画面とも言う。
【００２８】
紙葉類取引装置１００の保守は一般の利用者に操作できないように、図４（ａ）画面を表示する前に暗証番号の入力ガイダンスを表示させる例も好ましく、また保守には鑑別部１０４以外の収納ボックス、搬送路、カード機構など種々の保守も含むことから、図４（ａ）画面の前に保守として対象のユニットを選択させるガイダンスを表示する例が好ましい。
【００２９】
図４（ａ）は鑑別部１０４を保守する画面例であり、保守員が表示画面にて「閾値設定（変更も含む）」キーを押下する（Ｓ３０２）。制御部１０９はそのキー押下を操作部１０２より検知し、どの金種に対して閾値の設定を行うかを選択させる図４（ｂ）の金種選択画面を操作部１０２に表示する（Ｓ３０３）。上述したように、紙幣の金種に応じて金種判定用又は真偽判定用の閾値が異なるためである。
【００３０】
次に図４（ｂ）の例えば「万円」キーを押下すると、金種判定用の閾値を変更するのか、または真偽判定用の閾値を変更するのかを選択させる金種真偽選択画面、図４（ｃ）を操作部１０２に表示する（Ｓ３０４）。この図４（ｃ）において「金種判定」を選択すると、制御部１０９は金種判定に用いられる閾値を、「真偽判定」を選択すると真偽判定に用いられる閾値を、ＲＡＭ２０１、ＲＯＭ２０２から読み出して表示する。さらに、鑑別部１０４に含まれるセンサの種類によっても閾値が異なることから、図４（ｄ）のようにセンサの種類を特定するセンサ種選択画面を表示する、また閾値の求め方（演算方法）によっても閾値が異なることから図４（ｅ）のように演算方法の演算種選択画面を操作部１０２に表示するのが好ましい。
【００３１】
以上のように、金種を特定する処理（Ｓ３０３）、金種又は真偽のどちらを選択するかの処理（Ｓ３０４）などの選択処理、選択手段を制御部１０９、閾値設定プログラムを中心に制御すると、図５に示す判定値の設定、変更用の画面を操作部１０２に表示する。図５は特に図４（ｃ）において「真偽判定」が選択された場合に表示される画面例で、本図に示されるように、複数個ある判定値とその各判定値に対応した閾値の上限値と下限値とを表示する。閾値の上限値と下限値には、紙葉類取引装置の導入当初、予めＲＯＭ２０２に記憶されている「初期閾値」、つまり閾値上限値と閾値下限値との数値（ＴＨＭＩＮ１、ＴＨＭＡＸ１…）が表示される。一方、ＲＡＭ２０１に記憶されている「真偽判定用閾値」として閾値上限値と閾値下限値との数値（ＴＨＭＩＮ１、ＴＨＭＡＸ１…）、つまり、現在の取引時に使用されている上限値と下限値とを表示する。保守員は、複数個ある判定値の中からどの判定値の閾値を設定、変更するかを選択するために、表示画面に表示された判定値番号を入力する（Ｓ３０５）。例えば、この判定値番号として図５の「判定値ＴＳ１」をキー押下すると制御部１０９がそれを検知し、図示するように選択した判定値として「１」を置数エリアに表示し、確認キーの押下で図６の表示画面を操作部１０２に表示する。
【００３２】
次に、このＳ３０５にて選択された判定値番号に対する初期閾値、現在使用中の閾値が図６のように表示され、テンキーなどを利用して設定、変更したい閾値の閾値下限値と閾値上限値とを入力する。そして「閾値設定変更」キーの入力により「判定値ＴＳ１」の上限、下限値が設定、変更され（Ｓ３０７）、入力された値がＲＡＭ２０１の真偽判定用閾値に上書きされ、記憶する（Ｓ３０８）。次に、切替キー１１５などを使用して”通常取引モード”に切り替えることで（Ｓ３０９）、装置における入金、出金等の取引において、鑑別部１０４はＲＡＭ２０１に新たに記憶された「真偽判定用閾値」「金種判定用閾値」に基づいて、紙幣の金種、真偽を判定する。この閾値（広義では判定値）の設定、変更を設定手段、変更手段とも言う。
【００３３】
次に、本発明における閾値の上限値と下限値、算出値の頻度分布について、図７、図８を用いて説明する。本図は図６の判定値番号「１」について、閾値や算出値の頻度分布などをグラフ化したもので、図６の上限、下限値の設定画面と共に同一画面として表示するのが好適である。判定値を設定、変更する保守員にとっても図６の数値入力に役立つためである。
【００３４】
上述したように鑑別部１０４に備わる各種センサ１０５によって紙幣の印刷パターンのイメージデータを読み取り（光センサの場合）、紙幣の所望領域内にあるイメージデータに、ＲＯＭ２０２の金種、真偽判定制御プログラムなどを使用して所定の演算方法を施して算出された統計量（算出値）を求め、同プログラムによりＲＡＭ２０１の金種、真偽判定用閾値と比較又は所定の演算方法を用いて、最終的に紙幣の金種や真偽を判定する。統計量には、例えば、紙幣所望領域内のイメージデータの平均濃度値や積分濃度値等がある。図７、図８の算出値は、一例として平均濃度値を採用しており、大量の数の紙幣から算出された平均濃度値の頻度分布を表したものである。図７、図８中の横軸は平均濃度値（ｏｄ）、縦軸は頻度（数）を表している。この頻度とは、大量の数の紙幣からそれぞれ算出された各平均濃度値の中で、ある平均濃度値に該当する紙幣の数である。一般的に、印刷物のイメージ濃度レベルはＯＤ（Ｏｐｔｉｃａｌ  Ｄｅｎｓｉｔｙ）値で表現されるため、判定値、統計量、閾値の上限値と下限値などの単位はＯＤとする。
【００３５】
図７の実線ａは、紙葉類取引装置の導入前に、予め閾値の初期上限値と初期下限値を設定するために用いた大量の数の紙幣から算出された平均濃度値の頻度分布を表している。一方、図７の点線ｂは、紙葉類取引装置の導入後から現在に至るまで、毎回の取引時に投入された膨大な数の紙幣から算出された平均濃度値の頻度分布を表している。なお、図２の例ではＲＡＭ２０１に紙幣イメージデータを記憶する例を説明しているが、紙幣イメージデータや、そのデータに所定の演算方法を施して得た算出値（例、上記平均濃度値の頻度分布）の容量が非常に大きい。そこで、紙幣イメージデータや算出値は通信部２０３を介してホストコンピュータ２０５或いはサーバ（合わせて上位装置とも言う）に記憶するのが望ましい。その場合、紙葉類取引装置で鑑別部の判定値を設定、変更するとき、上位装置は問合せのあった紙幣取引装置又は鑑別部をＲＯＭ２０２の固定データなどで識別（特定）して、その紙幣取引装置で扱った紙幣のデータ（算出値など）を送信し、一方、装置側では受信した紙幣の（算出値など）データをＲＡＭ２０１に記憶して図７，８の算出値として表示する。なお、上述したように、ＲＡＭ２０１にある紙幣イメージデータの記憶領域は、紙幣一枚分のデータのみを記憶できる容量である。一枚目の紙幣の鑑別が終了したら、次に搬送されてきた紙幣のイメージデータが上書きされる。金種判定、真偽判定制御プログラムは、ＲＡＭ２０１に記憶された紙幣イメージデータから必要な情報を得て、金種判定または真偽判定を行う。
【００３６】
図７中の実線ｃ、ｄは、紙葉類取引装置の導入当初の初期上限値と初期下限値である。図２のＲＯＭ２０２の初期閾値に記憶されている値であり、導入当初にＲＡＭ２０１に記憶されている真偽判定用閾値でもある。もちろん、図５，６で表示される初期閾値である。一方、図７中の点線ｅ、ｆは、紙葉類取引装置の導入後、書き換えられた上限値と下限値であり、現在の取引時に使用されている上限値と下限値である。上述した図６の閾値の設定、変更画面によって保守員が入力した値であり、ＲＡＭ２０１の真偽判定用閾値でもある。
【００３７】
ところで、図７中の点線ｂの頻度分布が図７中の実線ａと異なる理由として、以下の理由が挙げられる。紙葉類取引装置の鑑別部１０４のセンサ１０５の経年劣化等によりセンサ出力が低下した場合、紙葉類取引装置の導入当初に比べて平均濃度値が低くなる。また、使い古された古い紙幣が投入された場合、発行されたばかりの新しい紙幣に比べて平均濃度値が低くなる。さらには、紙葉類取引装置が設置される場所は様々であるため、設置される場所の温度湿度等の外乱影響や、センサの製品毎の感度バラツキにより平均濃度値が高くなったり低くなったりする。
【００３８】
従って、装置導入時、例えば、紙幣の統計量（算出値）として平均濃度値（ｏｄ）を使用している場合、該平均濃度値に対する頻度（数）は実線ａのように描かれる。そして、導入当初の平均濃度値は、許容範囲として初期閾値、即ち上限値ｃと下限値ｄとの範囲内にあるので、鑑別部１０４にて紙幣は正券と判定される。
【００３９】
しかしこのまま、上限値ｃと下限値ｄの設定を固定してしまうと、点線ｂのように頻度分布がずれることで、導入時には正券と判定した紙幣まで、導入当初の許容範囲を超えてしまうため、偽券と判定してしまい、真券返却率が高くなる。そこで、上述した閾値を再設定、変更し（図６参照）、上限値をｅ、下限値をｆとし、点線ｂの本来正券の紙幣を鑑別部１０４にて正券と判定できる。さらに、毎回の取引時に平均濃度値を記憶し、定期的に行われるメンテナンス時に、現在までに記憶された該平均濃度値の頻度分布を作成すれば、時間経過と共に平均濃度値が変化する様子が分かり、センサの状態、流通している紙幣の状態、装置の置かれている環境（温度湿度等）に応じてきめ細かいメンテナンスができる。そして、図７中の実線ｃ、ｄが示すように、紙葉類取引装置の導入当初、平均濃度値の下限値と上限値の許容範囲の幅をある程度広く設定し、点線ｅ、ｆが示すように、時間経過と共に変化する平均濃度値に連動して独立に上限値と下限値を変更させる。よって、平均濃度値の下限値と上限値の許容範囲の幅を拡大させる必要がなくなる。
【００４０】
図８は紙葉類取引装置に偽券が入金された場合の平均濃度値が変更し、またそれに伴い閾値の上限、下限値を変更する例をグラフ化したものである。上述と同様に図６の閾値設定用の画面と同一画面で表示するのが望ましい。なお、装置導入時の平均濃度値、閾値は省略している。
【００４１】
図８の実線ａは、紙葉類取引装置に入金された偽券の平均濃度値の頻度分布である。一方、図８中の点線ｂは、紙葉類取引装置の導入後から現在に至るまで、毎回の取引時に投入された膨大な数の正券の紙幣から、それぞれ算出された平均濃度値の頻度分布を表している。図８の実線ｃ、ｄは、紙葉類取引装置の導入後、書き換えられた上限値と下限値であり、現在の取引時に使用されている上限値と下限値である。すなわち、この実線ｃ、ｄの上限値、下限値の紙幣は鑑別部１０４にて正券として装置に取り込むため、実線ａの偽券までも装置に取り込むことがある。従って、図６の設定画面により閾値の下限値を数値入力して点線ｅに再設定、変更することで偽券の入金が防止できる。このように、紙葉類取引装置に偽券が入金されたことが判明した場合、該偽券の平均濃度値が分かれば、閾値の上限値を該平均濃度値より小さくするとか、閾値の下限値を該平均濃度値より大きくすることで、該偽券が再び投入された場合、該偽券が入金されることを防ぐことができる。
以上説明したように、本発明では紙幣の鑑別で使用される金種のための判定値、真偽のための判定値など、種々の判定値の中から特定の判定値を選択し（実施例では真偽判定用で、イメージセンサを使用するケースの閾値としての上限、下限値）、その設定、変更を独立に、個々にできる手段を有する。これにより、光源のむらやセンサ出力の変動、温度又は湿度による外乱影響による鑑別部の各センサのバラツキ、流通紙幣の汚損などによる統計量のバラツキなどに対応しながら、好適な紙幣の鑑別が可能となる。また、偽券が入金される場合でもその偽券を緊急的に除外することも可能になる。
【００４２】
また、金種、真偽の判定用のプログラムを読取専用のメモリ（記憶部）に記憶し、そのプログラムで使用される判定値を読書可能なメモリ（記憶部）に記憶する構成を採用する。紙葉類取引装置に偽券が入金されたことが判明した場合、通常は、紙幣の所望領域数を増やすなどして金種、真偽判定手法（アルゴリズム）を再検討し、ＲＯＭに書き込まれた金種、真偽プログラムの書き換え更新を行うのが望ましいが、この再検討やプログラムの書き換え更新を行うためには非常に長い時間を要する。その間、紙葉類取引装置に再び偽券が入金されるのを防ぐために、紙葉類取引装置の稼動をストップすれば、利用者に多大な迷惑をかけることになる。また、紙葉類取引装置の稼動を継続すれば、再び偽券が入金される危険性がある。仮に偽券が入金された場合、システム運用側にとっては多大な損害を被ることになる。そのため、ＲＯＭに記憶されたプログラムは変更しないまでも、ＲＡＭに記憶された判定値（上限値又は下限値）を再設定、変更することで、暫定的な偽券の入金を防ぐことが可能になる。
【００４３】
また、金種、真偽用のそれぞれの判定値を区分けして記憶している。紙幣の金種、真偽の判定手法はそれぞれ異なることに着目し、いずれか一方又は両方の判定値を設定、変更することで偽券が入金された場合や、装置を設置する状況に合わせて柔軟に対応できる紙幣の鑑別が可能となる。
【００４４】
また、判定値として閾値を選択するとき、その上限値、下限値を個々に、独立に設定、変更し得る構成を採用する。上限値を固定して下限値のみ変更するなどでも対応できる。
【００４５】
また、判定値の設定、変更に当たってはその設定画面と同時に、それまでに得た紙幣の統計量をグラフ化したものを表示する手段がある。これにより保守員はどの位のレベルで判定値を調整するのが望ましいかが一目で分かる。
【００４６】
また、紙幣の統計量は紙幣１枚１枚に備わる特徴事項を所定の演算方法にて算出したものでもあるが、装置内の記憶部に記憶するよりも装置と電気的に接続する上位局（ホスト、サーバ含む）に記憶させるのが望ましい。これにより限られた容量を持った記憶部を効率的に使用できるためである。なお、鑑別部で取り込んだ紙幣の特徴（統計量、算出値）を上位に送信するタイミングとしては、１取引の終了毎が望ましく、装置内の記憶部に余裕が有る場合は装置の閉局時であっても良い。
【図面の簡単な説明】
【００４７】
【図１】紙葉類取引装置の構成図
【図２】制御部のブロック図
【図３】閾値の設定、変更時の動作フローチャート
【図４】閾値の設定、変更時の表示画面のフロー例
【図５】判定値の選択画面例
【図６】閾値の設定、変更画面例
【図７】真券の平均濃度値の頻度分布
【図８】真券と偽券の平均濃度値の頻度分布
【符号の説明】
【００４８】
１００…紙葉類取引装置、１０１…表示画面、１０２…操作部、１０３…入出金口、１０４…鑑別部、１０５…センサ、１０６…搬送ローラ、１０７…搬送路、１０８…一時スタッカ、１０９…制御部、１１０〜１１３…収納庫、１１４…リジェクト庫、１１５…切替キー、２００…ＣＰＵ、２０１…ＲＡＭ、２０２…ＲＯＭ、２０３…通信部、２０４…通信回線、２０５…ホストコンピュータ
【図１】
2005208955.tif 000003
【図２】
2005208955.tif 000004
【図３】
2005208955.tif 000005
【図４】
2005208955.tif 000006
【図５】
2005208955.tif 000007
【図６】
2005208955.tif 000008
【図７】
2005208955.tif 000009
【図８】
2005208955.tif 000010